(57)【要約】【課題】  従来の情報配信システムでは、検索サ−バから携帯電話に配信する地図情報等のデ−タ容量が大きく、デ−タ伝送速度の確保が容易でないため、車等を使った高速移動時において通り過ぎたエリアの地図情報の表示となり、その内容の陳腐化が発生していた。【解決手段】  ダミ−デ−タの送受信により、任意の場所や時間における検索サ−バと携帯電話との間のデ−タ伝送速度を測定するとともに、ＧＰＳ等を用いて携帯電話の移動速度を測定し、それらの測定結果に基づいて陳腐化の恐れのない伝送時間内に配信できるデ−タ容量を定め、その定めたデ−タ容量以下の地図情報を持ったファイルを検索サ−バで検索し、携帯電話に送信する。【選択図】  図１
2008102828.tif 000002
【特許請求の範囲】
【請求項１】
通信ネットワ−クに接続された特定の無線端末に検索サ−バで検索したファイルを送信する情報配信システムにおいて、任意のタイミングで前記検索サ−バと特定の無線端末との間のデ−タ伝送速度を測定する機能部と、前記デ−タ伝送速度に基づいて設定されるデ−タ容量以下のファイルを検索する機能部と、前記検索サ−バから前記特定の無線端末に送信する機能部を備えたことを特徴とする情報配信システム。
【請求項２】
特定の無線端末から既知容量のダミ−デ−タを検索サ−バに送信するステップと、前記検索サ−バから返信されるダミ−デ−タを前記特定の無線端末で受信するステップと、そのダミ−デ−タの送受信に掛かった時間から、デ−タ伝送速度を測定するステップを備えたことを特徴とする請求項１記載の情報配信システム。
【請求項３】
請求項１または請求項２に記載の情報配信システムにおいて、特定の無線端末から検索サ−バに送信されてくる検索カテゴリ情報に基づいて、ファイルが検索されるようにしたことを特徴とする情報配信システム。
【請求項４】
請求項３記載の情報配信システムにおいて、検索されたファイルをデ−タ伝送速度に基づいて設定されるデ−タ容量以下に圧縮処理するステップと、特定の無線端末に送信するステップを備えたことを特徴とする情報配信システム。
【請求項５】
請求項１ないし請求項４のいずれかに記載の情報配信システムにおいて、特定の無線端末から検索サ−バに送信されてくる無線端末の位置情報に基づいて、ファイルが検索されるようにしたことを特徴とする情報配信システム。
【請求項６】
通信ネットワ−クに接続された検索サ−バの検索ファイルを受信できるようになった無線端末において、既知容量のダミ−デ−タを検索サ−バに送信する機能部と、前記検索サ−バから返信されるダミ−デ−タを受信する機能部とを備えたことを特徴とする無線端末。
【請求項７】
検索サ−バとのデ−タ伝送速度を測定するための機能部を備えたことを特徴とする請求項６記載の無線端末。
【請求項８】
検索カテゴリ情報を検索サ−バに送信できるようにしたことを特徴とする請求項６または請求項７に記載の無線端末。
【請求項９】
無線端末の位置情報を検索サ−バに送信できるようにしたことを特徴とする請求項６ないし請求項８のいずれか１つに記載の無線端末。
【請求項１０】
通信ネットワ−クに接続された特定の無線端末に検索ファイルを送信する検索サ−バにおいて、前記サ−バと前記特定の無線端末とのデ−タ伝送速度を測定し、その測定したデ−タ伝送速度に基づいて設定されるデ−タ容量以下のファイルを検索する機能部を備えたことを特徴とする検索サ−バ。
【請求項１１】
通信ネットワ−クに接続された特定の無線端末に検索ファイルを送信する検索サ−バにおいて、前記サ−バと前記特定の無線端末とのデ−タ伝送速度を測定し、前記デ−タ伝送速度に基づいて設定されるデ−タ容量以下に、予め検索しておいた検索ファイルを圧縮処理する機能部を備えたことを特徴とする検索サ−バ。
【発明の詳細な説明】
【技術分野】
【０００１】
本発明は、例えば携帯電話等の無線端末に対して検索サ−バの検索ファイル等を配信する情報配信システムとそれに用いる無線端末に関するものである。
【背景技術】
【０００２】
例えば従来の情報配信システムは無線端末の移動速度や移動方向等の把握によって、無線端末の置かれた移動手段を推定し、その移動手段に対応させて検索した現在位置周辺エリアの地図情報やイベント情報等をその無線端末にデ−タ配信していた（例えば、特許文献１参照）。
【０００３】
【特許文献１】特開２００２−３０４４０８号公報（段落０００４）
【発明の開示】
【発明が解決しようとする課題】
【０００４】
従来の情報配信システムから配信される地図情報やイベント情報等の持つデ−タ容量は大きく、無線端末と結ばれた回線のデ−タ伝送速度が有限で必ずしも速くないため、デ−タ転送に長時間を要していた。また、ユ−ザの持つ携帯電話等の無線端末の置かれる状態の違いによって、例えば電車や車での移動時と徒歩での移動では、その移動速度や周囲の電波環境ならびにその変化等に大きな差異があり、十分なデ−タ伝送速度の確保が必ずしも容易でなかった。例えばユ−ザの電車や車等での高速移動において、無線端末へのデ−タ配信が完了した時点ですら、すでに時遅く、通り過ぎたエリアの地図情報やイベント情報の表示となり、その表示内容が陳腐化していた。また、デ−タ配信に長時間を要する場合、例えユ−ザが徒歩であったとしても、デ−タ配信を待ちきれなくなっていた。
【０００５】
本発明は上記の課題を解決し、無線端末に向けてユ−ザの必要とする検索サ−バの検索ファイルを陳腐化させることなく、ユ−ザの許容し得るリアルタイムでのデ−タ配信が実施できる情報配信システムおよび無線端末の提供を目的とする。
【課題を解決するための手段】
【０００６】
本発明の情報配信システムは、通信ネットワ−クに接続された特定の無線端末に検索サ−バで検索したファイルを送信する情報配信システムにおいて、任意のタイミングで前記検索サ−バと特定の無線端末との間のデ−タ伝送速度を測定する機能部と、前記デ−タ伝送速度に基づいて設定されるデ−タ容量以下のファイルを検索する機能部と、前記検索サ−バから前記特定の無線端末に送信する機能部を備えた点を特徴としたものである。
【発明の効果】
【０００７】
検索サ−バと特定の無線端末との間で測定される任意のタイミングのデ−タ伝送速度に基づいて設定されるデ−タ容量以下の検索ファイルを、無線端末にデ−タ配信するようにするようにしたので、ユ−ザが許容し得るリアルタイム内にデ−タ配信できるという効果が得られる。
【発明を実施するための最良の形態】
【０００８】
実施の形態１．
以下、図面に基づいて本発明の実施の形態１について詳細に説明する。図１は本発明の情報配信システムの構成図、図２は本発明の特定の無線端末である携帯電話と検索サ−バとの間のデ−タ伝送速度を測定するためのフロ−チャ−ト、図３は本発明の検索サ−バにおいて特定の携帯電話に送信する検索ファイルの検索手順を示すフロ−チャ−トである。なお、図１ないし図３中、同一部分ないし相当部分には同一符号を付与している。
【０００９】
図１に示すように本発明の情報配信システム１００は、検索サ−バ１０１と複数の無線基地局１０２が通信ネットワ−ク１０３に接続され、前記複数の無線基地局１０２のいずれかと特定の携帯電話１０４とが無線通信で接続されることにより、前記検索サ−バ１０１と前記特定の携帯電話１０４が通信できるように構成されている。例えば検索サ−バ１０１は、予め設定された地図情報、天気情報、イベント情報、楽曲配信情報等からなる検索カテゴリを持ち、特定の携帯電話１０４から送られてくる検索条件をもとにして、それ自体が持つデ−タベ−スあるいはインタ−ネット上から配信候補ファイルの所在を機械的にプログラム検索し、その検索ファイルのデ−タ容量を把握する機能部を有した物で、特定のアドレス情報等により識別可能な物ある。
【００１０】
特定の携帯電話には、検索サ−バ１０１への接続指示機能部と予め設定された地図情報や音楽配信情報等の検索カテゴリの選択機能部が備わっており、ユ−ザの接続指示に従って検索サ−バ１０１への接続を実施したり（予め、検索サ−バ１０１の持つ特定のアドレス情報等を登録することにより、接続を可能としている）、ユ−ザの選択する検索カテゴリに従った検索カテゴリ情報を検索サ−バ１０１へ送信したりする。また、必要に応じてユ−ザが許容し得る検索ファイルの配信時間や配信される検索ファイルの更新間隔の設定指示機能部を備え、検索サ−バ１０１へ送信できるようにしておいても良い。
【００１１】
さらに特定の携帯電話１０４には検索サ−バ１０１とのデ−タ伝送速度を測定するために、任意の時間に既知容量を持ったダミ−デ−タを検索サ−バに送信し、さらに検索サ−バ１０１から返信されてくる既知容量のダミ−デ−タを検出し、その検出時間を確認する機能部を有している。これらの検出結果を基にして、ダミ−デ−タの送受信にかかった時間とダミ−デ−タの容量を考慮することからデ−タ伝送速度を測定する機能部を有している。なお、検索サ−バ１０１には、特定の携帯電話１０４から送られてくるダミ−デ−タを受信し、直ちにそのダミ−デ−タを特定の携帯電話１０４に送信する機能部を有している。
【００１２】
図２に示すフロ−チャ−トに基づいて、本発明の特定の携帯電話１０４と検索サ−バ１０１との間のデ−タ伝送速度の測定方法について説明する。Ｓ１００は、携帯電話が無線基地局を経由して検索サ−バに接続され、携帯電話が特定の携帯電話１０４となった状態を示しているステップである。Ｓ２００は、任意の時間において特定の携帯電話１０４から検索サ−バ１０１に向けて既知容量のダミ−デ−タを送信するステップである。Ｓ２０１は、特定の携帯電話１０４がそのダミ−デ−タの送信開始時間を記録するステップである。Ｓ３００は、検索サ−バ１０１が特定の携帯電話１０４からのダミ−デ−タを受信するステップである。Ｓ４００は、検索サ−バ１０１が特定の携帯電話１０４から受信したダミ−デ−タを特定の携帯電話１０４に向け送信（返信）するステップである（なお、検索サ−バ１０１から返信するダミ−デ−タの容量は、必ずしも受信したダミ−デ−タと同じにする必要性はなく、返信するダミ−デ−タの容量が既知であれば良い）。
【００１３】
Ｓ５００は、特定の携帯電話１０４が検索サ−バ１０１からのダミ−デ−タを受信するステップである。Ｓ５０１は、特定の携帯電話１０４がそのダミ−デ−タの受信終了時間を記録するステップである。Ｓ６００は、特定の携帯電話１０４が記録したダミ−デ−タの送信開始時間と受信終了時間から送受信にかかった時間を算出し、送信したダミ−デ−タの容量（必要に応じて受信したダミ−デ−タの容量を考慮する）からデ−タ伝送速度を算出（測定）したり、必要に応じて記録したりするステップである。Ｓ７００は、必要に応じて特定の携帯電話１０４からのデ−タ伝送速度や検索カテゴリ情報等の検索条件を検索サ−バ１０１に送信するステップである。Ｓ８００は、上記一連の動作を終えるステップである。なお、ここでは、デ−タ伝送速度を測定するステップは特定の携帯電話に設けて説明しているが、検索サ−バに設けても良く、或いは情報配信システムのいかなる場所に設けても良い。
【００１４】
図３に示すフロ−チャ−トに基づいて、検索サ−バが駐車中の車内にいるユ−ザの持つ特定の携帯電話に対して、送信する検索ファイルを検索し、その検索ファイルを送信する場合の手順について説明する。Ｓ１１０は、検索サ−バが無線基地局を経由して特定の携帯電話に接続された状態にあり、また、すでに検索カテゴリやファイルの配信時間Ｔ等が指定されている状態にあるステップを示している。例えば検索カテゴリが楽曲配信情報の楽曲名指定であり、それに基づいた検索ファイルを特定の形態電話へデ−タ送信する場合について説明する。Ｓ２１０は、任意の時間において特定の携帯電話１０４から測定されたデ−タ伝送速度Ｖと楽曲名等の検索条件を受信し、その内容を更新記録するステップである。なお、ここではデ−タ伝送速度と楽曲名以外の更新は無かったものとしている。Ｓ３１０は、デ−タ伝送速度と配信時間を基にして送信可能なデ−タ容量を決定・記録するステップである。送信可能なデ−タ容量はデ−タ伝送速度Ｖと配信時間Ｔの積（Ｖ・Ｔ）で決まり、この送信可能なデ−タ容量以下が配信可能な検索ファイルの容量となる。
【００１５】
Ｓ４１０は、指定された検索条件に該当する検索ファイル候補の所在とその検索ファイル候補のデ−タ容量を、本発明の検索サ−バ自体が独自に持つデ−タベ−ス１０１ＤＢあるいはインタ−ネット上のデ−タベ−スＩＤＢ群等からプログラム検索するステップである。すなわち、ここでは指定された楽曲名と検索カテゴリ情報等を手がかりとして、異なったデ−タ容量の複数のファイルが検索されることになる。なお、１つの楽曲に対して、上記のように複数のファイルが検索されるのは、例えば本発明の検索サ−バ自体の持つ独自のデ−タベ−ス等において、検索対象となるであろう１つの楽曲に対して、複数種のビット数の異なる記録容量のファイルを予め設けているからである（他のデ−タベ−スＩＤＢ群の中に設けられていても良い）。すなわち、検索条件に該当する記録容量の異なった複数のファイルが、本発明の検索サ−バ自体の持つデ−タベ−スあるいはインタ−ネット上のデ−タベ−ス群等に存在するためである。例えば、３２ビット記録したものより、６４ビット、１２８ビットとより大きいデ−タ容量となる。
【００１６】
Ｓ５１０は、Ｓ４１０において検索された検索ファイル候補の容量とＳ３１０において決定された送信可能なデ−タ容量を比較し、送信可能なデ−タ容量以下の最大のデ−タ容量を持った検索ファイルを求め、これを検索ファイルとして決定するステップである。なお、ここで検索ファイルとして、複数の検索ファイル候補の中から送信可能なデ−タ容量以下の最大の容量を持ったファイルとしたのは、より大きいビット数で記録した楽曲の音色が良いためである。ただ、このような選択基準は、設計事項的に変更することが可能であるのは言うまでもなく、適宜、設計者やユ−ザが選択・設定してもよい。
【００１７】
Ｓ６１０は、Ｓ５１０において決定した検索ファイルを特定の形態電話へ送信するステップである。これにより特定の形態電話に対して、概ね予め定められた配信時間Ｔ内にユ−ザの指定した検索条件で検索した検索ファイルを送信できるという効果が得られる。なお、配信時間Ｔ内における電波状態の変化に伴い、実質的なデ−タ伝送速度は微妙に変化するが、配信時間Ｔが短時間であればその影響は少ない。Ｓ７１０は、上記一連の動作を終えるステップである。
【００１８】
以上説明したように本発明の実施の形態１においては、ユ−ザが許容し得るリアルタイムである配信時間内において、概ねユ−ザの求める楽曲を携帯電話にデ−タ配信できるという効果が得られる。また、楽曲に相当するデ−タが、画像に相当するデ−タであっても同様の効果が得られることは明らかである。
【００１９】
また、ここでは図３に示すフロ−チャ−トに基づいて、検索サ−バが駐車中の車内にいるユ−ザの持つ特定の携帯電話に対して、送信する検索ファイルを検索し、その検索ファイルを送信する場合の手順について説明した。しかしながら、必ずしもユ−ザの持つ特定の携帯電話が駐車中の車内である必要性はなく、他の場所、例えば家の中であっても良いのは言うまでもない。さらに、本発明の実施の形態１で表現した携帯電話は、無線機能を有したモバイルコンピュ−タ等であっても同様に検索サ−バから検索ファイルを受信することは可能である。すなわち、携帯電話の代わりに無線機能を用いて通信ネットワ−クに接続可能な無線端末であれば、検索サ−バから検索ファイルを受信できることは明らかである。また、本発明の実施の形態１で表現した無線基地局は、例えば通信ネットワ−クに接続された電話回線等に設置される無線ＬＡＮル−タ等であっても良く、無線通信で任意のコンピュ−タ等にデ−タの送受信のできるもの（無線ＬＡＮル−タ等）であれば、前記任意のコンピュ−タに検索サ−バからの検索ファイルを送信できることは明らかである。そういう意味においてユ−ザは、本発明の情報通信システム等により、許容し得るリアルタイムの配信時間内において、概ねユ−ザの求めるファイルをいかなる場所においても検索サ−バから無線端末にデ−タ受信できるという効果が得られる。
【００２０】
実施の形態２．
以下、図面に基づいて本発明の実施の形態２について詳細に説明する。図４は本発明の実施の形態１において説明した図３のフロ−チャ−トのＳ４１０からＳ５１０を、後で説明するＳ４１１からＳ５１１に変更したフロ−チャ−トであり、それ以外は同じである。
【００２１】
Ｓ１１０からＳ３００までのステップは本発明の実施の形態２と同じなので、説明を省略する。Ｓ４１１は、指定された検索条件に該当する検索ファイル候補を本発明の検索サ−バ自体が持つデ−タベ−スあるいはインタ−ネット上のデ−タベ−ス群等からプログラム検索するステップである。
【００２２】
Ｓ５１１は、Ｓ４１１において記録した検索ファイル候補の中から、最適と判断した検索ファイル候補の１つに対して（適宜設計事項的に任意のソフトウエアで対応すればよい）、Ｓ３１０において決定した送信可能なデ−タ容量以下になるよう、新たな圧縮処理（デ−タ変換処理）を施した圧縮検索ファイルを得て（適宜設計事項的に任意のソフトウエアで対応すればよい）、記録するステップである。なお、同じ楽曲や画像等のデ−タファイルであっても、それに対する圧縮方式によって圧縮されたファイルの持つデ−タ容量は大きく異なることは明らかであるので、上記のように適宜優れた任意のソフトウエアを設計事項的に採用する事が重要である。
【００２３】
Ｓ６１１は、Ｓ５１１で得た圧縮検索ファイルを特定の形態電話へ送信するステップである。これにより特定の形態電話に対して、概ね定められた配信時間内に圧縮検索ファイルを送信できるという効果が得られる。
【００２４】
以上説明したように本発明の実施の形態２においては、例え検索ファイル候補のもつデ−タ容量が送信可能なデ−タ容量よりも大きくても、検索ファイル候補を圧縮検索ファイルにデ−タ変換するため、ユ−ザが許容し得るリアルタイムである配信時間内において、概ねユ−ザの求める楽曲や画像情報を携帯電話にデ−タ配信できるという特段の効果が得られる。
【００２５】
実施の形態３．
本発明の実施の形態１および実施の形態２では、検索サ−バから駐車中の車内に居るユ−ザの持つ特定の携帯電話に向けて送信すべき検索ファイルの検索手順について説明した。本発明の実施の形態３では、検索サ−バから車で高速道路を移動中のユ−ザの持つ特定の位置情報を把握した携帯電話に向けて、その位置情報を反映した送信すべき検索ファイルの検索手順について説明する。
【００２６】
位置情報の把握できる携帯電話としては、例えば携帯電話用のＧＰＳ装置等を組み込んだ携帯電話や車載用のＧＰＳ装置で得た位置情報を入力できるようにした携帯電話等のことである。位置情報を把握できる機能を備えた特定の携帯電話に対して送信する検索ファイルの選択もその検索ファイルの送信手順も、本発明の実施の形態１および実施の形態２と基本的に同じである。なお、任意の時間において、高速で移動する位置情報をもった特定の携帯電話１０４と特定のサ−バ１０１との間のデ−タ伝送速度は、本発明の実施の形態１と同じ手順で測定されるので、ここでは適宜把握される情報（検索条件の１つ）であるとして説明を省略する。
【００２７】
検索サ−バ１０１は特定の携帯電話の位置情報と検索カテゴリ情報を、図３に示すＳ２１０において、特定の携帯電話１０４から送信されてくる検索条件に含まれる位置情報、検索カテゴリ情報等を受信し、受信時間（更新時間等でも良い）とともに更新記録することで把握する。Ｓ３１０は、デ−タ伝送速度と配信時間を基にして送信可能なデ−タ容量を決定・記録するステップである。
【００２８】
Ｓ４１０は、指定された検索条件に該当する検索ファイル候補の所在とその検索ファイル候補のデ−タ容量を、本発明の検索サ−バ自体が持つデ−タベ−スあるいはインタ−ネット上のデ−タベ−ス群等からプログラム検索するステップである。ここでは、例えば検索カテゴリが現在位置周辺エリアの地図情報やイベント情報等ならばＳ２１０で更新した更新記録の特定の携帯電話の位置情報と受信時間に基づいて、特定の携帯電話１０４の移動速度や移動方向等を把握し、必要に応じて移動手段を推定するなどして、例えば配信時間経過後における特定の携帯電話の到達予定位置を予測し、この到達予定位置を基にして、適当なソフトウエア等により記録容量の異なる地図情報やイベント情報等を機械的に検索するようにするものである。記録容量の異なる地図情報等については、予め記録容量の異なるファイルの地図情報等を持ったデ−タベ−スを存在させておけばよい。なお、ここで用いる適当なソフトウエア等は、必要に応じて適宜設計事項的に変更することは可能であるのは言うまでもない。
【００２９】
Ｓ５１０は、例えばＳ４１０において検索された検索ファイル候補の容量とＳ３１０において決定された送信可能なデ−タ容量を比較し、送信可能なデ−タ容量以下の最大のデ−タ容量を持った検索ファイルを求め、これを検索ファイルとして決定するステップである。Ｓ６１０は、Ｓ５１０において決定した検索ファイルを特定の形態電話へ送信するステップである。これにより特定の形態電話に対して、配信時間経過後のリアルタイムで、概ね現在位置周辺エリア（実際には、前記到達予定位置）の地図情報やイベント情報等を送信できるという効果が得られる。また、本発明の実施の形態２の図４を用いて説明した手順に基づき、適当な検索ファイル候補の１つを送信可能なデ−タ容量以下の圧縮検索ファイルにデ−タ変換しておいて、特定の形態電話へ送信するようにしても同様の効果が得られる。
【００３０】
Ｓ７１０は、上記一連の動作を終えるステップである。なお、地図情報やイベント情報に関して、随時、更新を行う場合は、例えば、特定の携帯電話１０４において、検索サ−バ１０１からの検索ファイルを受信終了した後に、再度デ−タ伝送速度を測定し、検索サ−バ１０１に検索条件を送信するようにすればよい。
【００３１】
以上説明したように本発明の実施の形態３においては、高速で道路を移動する車が到達予定地域を通り過ぎる前に、現在位置周辺エリアの地図情報やイベント情報を特定の形態電話１０４に配信できるため、すなわち、ユ−ザが必要とする検索ファイルをリアルタイムでデ−タ配信できるという格別の効果が得られる。
【図面の簡単な説明】
【００３２】
【図１】本発明の情報配信システムの構成図である。
【図２】本発明のデ−タ伝送速度を測定するためのフロ−チャ−トである。
【図３】本発明の実施の形態１の検索手順を示すフロ−チャ−トである。
【図４】本発明の実施の形態２の検索手順を示すフロ−チャ−トである。
【符号の説明】
【００３３】
１００      情報配信システム            １０１      検索サ−バ
１０２      無線基地局                  １０３      通信ネットワ−ク
１０４      特定の携帯電話（無線端末）    
【図１】
2008102828.tif 000003
【図２】
2008102828.tif 000004
【図３】
2008102828.tif 000005
【図４】
2008102828.tif 000006